(57)【要約】【課題】被装及び除去作業が容易で手間がかからず、作業を迅速に行なうことができる自動車用カバーを提供することを課題とする。【解決手段】車体形状に形成されたカバー１の中央部に、把持用バンド２を適宜数取り付け、前端部及び／又は後端部に引張りヒモ３を取り付け、側部その他適宜個所に風抜き孔４を設け、車体の角部対応部に目印８を付し、更に、トランクカバー及び／又はボンネット対応部の内面側に、１又は複数のマグネットシート７を定着して成る。【選択図】図１
0003124500.tif 000002
【実用新案登録請求の範囲】
【請求項１】
車体形状に形成されたカバーのトランクカバー及び／又はボンネット対応部の内面側又は外面側に、１又は複数のマグネットシートを定着して成り、前記カバーは前記マグネットシートを介してトランクカバー又はボンネット上に磁着した状態において折畳み及び展開可能であることを特徴とする自動車用カバー。
【請求項２】
車体形状に形成されたカバーの中央部に、把持用バンドを適宜数取り付け、前端部及び／又は後端部に引張りヒモを取り付け、側部その他適宜個所に風抜き孔を設け、車体の角部対応部に目印を付し、更に、トランクカバー及び／又はボンネット対応部の内面側又は外面側に、１又は複数のマグネットシートを定着して成り、前記カバーは前記マグネットシートを介してトランクカバー又はボンネット上に磁着した状態において折畳み及び展開可能であることを特徴とする自動車用カバー。
【請求項３】
車体形状に形成されたカバーの中央部に、把持用バンドを適宜数取り付け、前端部及び／又は後端部に引張りヒモを取り付け、側部その他適宜個所に風抜き孔を設け、車体の角部対応部に目印を付し、更に、トランクカバー及び／又はボンネット対応部の内面側又は外面側に、１又は複数のマグネットシートを定着し、また更に、前記カバーの一側端から車体の下を通って他側端に延びるベルトを備え、前記ベルトの少なくとも一端は、前記カバーの側端部に着脱可能且つ施錠可能であり、前記カバーは前記マグネットシートを介してトランクカバー又はボンネット上に磁着した状態において折畳み及び展開可能であることを特徴とする自動車用カバー。
【請求項４】
前端縁に軟質材製保護部材を配した請求項１乃至３のいずれかに記載の自動車用カバー。
【請求項５】
適宜個所に装飾部を設けた請求項１乃至４のいずれかに記載の自動車用カバー。
【請求項６】
前記装飾部を脱着可能にした請求項５に記載の自動車用カバー。
【考案の詳細な説明】
【技術分野】
【０００１】
本考案は自動車用カバー、より詳細には、駐車保管中に自動車に被せることにより、自動車がホコリに塗れたり傷付いたりすることを防止し、また、盗難を抑止したりする自動車用カバーに関するものである。
【背景技術】
【０００２】
一般に自動車用カバーは、車の側面から上面に対応する形状の耐水資材製カバーであり、不使用時には畳んでトランク等に収納しておく。
【０００３】
その被装に際しては、端部を前側又は後側バンパー等に引掛け、他の部分を車の屋根に投げ上げ、他端部を持ちながら車の側面に沿って移動することにより、カバーを車の上面に拡げ、前記他端部を引張って他側側のバンパーに引掛ける。カバーを取り除くときは、上記と逆のことを行なう。
【０００４】
実際のところ、上記操作は必らずしも簡単ではない。即ち、特に指標がないために、折畳みに際してはカバーを適当にたぐり寄せ、適当に畳むことが多い。そのため、次に被装する際に、バンパー等に引掛ける部分等を見出しにくく、誤って違う部分を引掛けた場合には、最初からやり直さなければならない。また、一端をバンパー等に引掛けた後、他端を引張って車の上面に拡げる操作も、バンパー等に引掛けた部分が外れたりすることもあって、手間がかかって煩わしいものである。
【０００５】
【特許文献１】実用新案登録第３１０１７７６号公報
【特許文献２】実用新案登録第３０１０７５０号公報
【特許文献３】実開平２−６３２２２号公報
【特許文献４】実開昭６３−１３１８２２号公報
【考案の開示】
【考案が解決しようとする課題】
【０００６】
上述したように従来の自動車用カバーは、被装作業に手間がかかって煩わしいという問題があったので、本考案はそのような欠点のない、即ち、被装及び除去作業が容易で手間がかからず、作業を迅速に行なうことができる自動車用カバーを提供することを課題とする。
【課題を解決するための手段】
【０００７】
上記課題を解決するための本考案に係る自動車用カバーの第１の態様は、車体形状に形成されたカバーのトランクカバー及び／又はボンネット対応部の内面側又は外面側に、１又は複数のマグネットシートを定着して成り、前記カバーは前記マグネットシートを介してトランクカバー又はボンネット上に磁着した状態において折畳み及び展開可能であることを特徴とする。
【０００８】
上記課題を解決するための本考案に係る自動車用カバーの第２の態様は、車体形状に形成されたカバーの中央部に、把持用バンドを適宜数取り付け、前端部及び／又は後端部に引張りヒモを取り付け、側部その他適宜個所に風抜き孔を設け、車体の角部対応部に目印を付し、更に、トランクカバー及び／又はボンネット対応部の内面側又は外面側に、１又は複数のマグネットシートを定着して成り、前記カバーは前記マグネットシートを介してトランクカバー又はボンネット上に磁着した状態において折畳み及び展開可能であることを特徴とする。
【０００９】
また、上記課題を解決するための本考案に係る自動車用カバーの第３の態様は、車体形状に形成されたカバーの中央部に、把持用バンドを適宜数取り付け、前端部及び／又は後端部に引張りヒモを取り付け、側部その他適宜個所に風抜き孔を設け、車体の角部対応部に目印を付し、更に、トランクカバー及び／又はボンネット対応部の内面側又は外面側に、１又は複数のマグネットシートを定着し、また更に、前記カバーの一側端から車体の下を通って他側端に延びるベルトを備え、前記ベルトの少なくとも一端は、前記カバーの側端部に着脱可能且つ施錠可能であり、前記カバーは前記マグネットシートを介してトランクカバー又はボンネット上に磁着した状態において折畳み及び展開可能であることを特徴とする。
【考案の効果】
【００１０】
本考案は上述したとおりであって、マグネットシートをカバーの展開及び畳み込みに際して利用するために、被装及び除去作業が容易で手間がかからず、作業を迅速に行なうことができ、また、請求項３に記載の考案においては、カバー及び車両の盗難を防止し得る効果がある。
【考案を実施するための最良の形態】
【００１１】
本考案の実施の形態を添付図面に依拠して説明する。図１は、本考案に係る自動車用カバー１を車に被装した状態を斜め後方から示したものであり、図２はそれを斜め前方から示したものである。
【００１２】
カバー１は、従来のものと同様に、耐水性資材にて車に対応する形状に仕上げたものである。カバー１には、その長さ方向中央ラインに沿って、適宜間隔置きに、捕持用バンド２が設置される。バンド２は、好ましくは図示した例のように、後面から上面にかけて設けるが、後面からトランクの蓋にかかる部分にのみ設けてもよく、また、全長に亘って設けてもよい。バンド２の長さは、１５ｃｍ程度でよい。
【００１３】
カバー１の前端部及び／又は後端部の中央には、適宜長さの引張りヒモ３が取り付けられる。カバー１の前端縁には、ゴムや軟質プラスチック等の軟質材製保護部材６が、ほぼ車幅長に取り付けられることもある。また、カバー１の側部その他適宜個所に、風抜き孔４が形成され、以て、風を孕んで外れることが防止される。
【００１４】
更に、トランクの上部両側角部、車体トップの四つの角、フロントグリルの上部両側角部等の角部対応部に、適宜目印８が付され、被装の際の一助とされる。そして更に、カバー１のボンネット及び／又はトランクカバー対応部の内面側又は外面側に、適宜サイズ（例えば１５×２０ｃｍ）のマグネットシート７が、１又は複数定着される。
【００１５】
なお、必要に応じ、例えばフロントガラス対応部分に、図柄や写真、絵等を表現した装飾部５を配する。装飾部５はカバー１の一部として設けたものであってもよいし、カバー１の上に固定し、あるいは、面テープ等を用いて脱着可能（交換可能）に配置するものであってもよい。
【００１６】
かかる構成のカバー１を車に被装するに当っては、畳んだ状態から、先ず、マグネットシート７定着部をボンネット又はトランクカバー上に置き、その部分を磁着させる（後述するように、カバー１は、マグネットシート７定着部を底にして畳み込まれている。）。
【００１７】
そして、重ねた部分を展開し、トランクカバー上に磁着させた場合は前方側の引張りヒモ３を前方に投げ、前面側から引張りヒモ３を引張ってカバー１を更に展開し、カバー１の前部を引き寄せて前部バンパー等に掛けるが、この操作は、マグネットシート７定着部が確固と磁着されていてカバー１がずれ動くことがないために、１人でも容易且つ迅速に行なうことができる。その際、目印８を車体の対応角部に合わせることにより、作業が一層簡易迅速化される。次いで、カバー１の後部を後部バンパー等に掛ける。保護部材６がある場合は、カバー１が車上をずり動かされていても、ボディに傷が付きにくい。
【００１８】
かかる被装状態からカバー１を取り外すときは、作業者は、カバー１の前部及び後部をバンパー等から外した後、マグネットシート７定着部付近から直近個所のバンド２を把持し、順次持ち換えることによってカバー１をたぐり寄せる。このようにすることによりカバー１は、左右に乱れることなく、確実に中央部が集積された状態で、マグネットシート７定着部上にまとまることになる（図３参照）。次いで後部をたぐり寄せた後、左右部分を重ねてまとめた後、マグネットシート７部分を磁着部から引き離し、必要に応じて箱や袋に入れ、トランク等に収納する。
【００１９】
本考案の第３の態様は、上記構成に更にロック機構を備える。即ち、カバー１は、その前部及び／又は後部に、車体の下側に掛け渡されるベルト９を備える。ベルト９の一端は、カバー１の一側端部に固定され、その他端は、カバー１の前記ベルト固定側と反対側の側端部に脱着可能且つ施錠可能にされる。
【００２０】
即ち、ベルト９は、車体の下を通して反対側に出し、先端部に設けた施錠手段を、カバー１の側端部に設けた対応する施錠手段１０にてロックさせる。かくして施錠手段１０を解錠しない限り、ベルト９を外すことができなくなり、カバー１を盗取することを防止し得るだけでなく、車自体の盗取も防止し得ることとなる。
【００２１】
上記例では、ベルト１２の一端を脱着可能且つ施錠可能にしているが、両端を脱着可能且つ施錠可能にしてもよい。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２３】
【図１】本考案に係る自動車カバーの使用状態を示す後方視斜視図である。
【図２】本考案に係る自動車カバーの使用状態を示す前方視斜視図である。
【図３】本考案に係る自動車カバーの折畳み状態を示す図である。
【符号の説明】
【００２４】
１    カバー
２    バンド
３    ヒモ
４    風抜き孔
５    装飾部
６    保護部材
７    マグネットシート
８    目印
９    ベルト
１０    施錠手段
【図１】
0003124500.tif 000003
【図２】
0003124500.tif 000004
【図３】
0003124500.tif 000005